(57)【要約】【課題】植栽した植物が生長した際に希望する視覚的なイメージが実現されるように、花壇のデザインを設計することができるように支援する。【解決手段】生長した複数種類の植物の各々を花壇の正面から目視して得た外形形状に応じて分類し、分類毎に外形形状に応じて定めた基準骨格画像を予め記憶し、基準骨格画像からの選択指定及び当該選択指定された基準骨格画像の配置位置を指定する位置指定を受け付け、受け付けられた選択指定及び位置指定に基づいて、選択指定により選択された基準骨格画像を、位置指定により指定された配置位置に配置した画像を表示手段に表示するように制御する。【選択図】図２
2015119649.tif 000002
【特許請求の範囲】
【請求項１】
生長した複数種類の植物の各々を花壇の正面から目視して得た外形形状に応じて分類し、分類毎に外形形状に応じて定めた基準骨格画像を予め記憶した記憶手段と、
前記基準骨格画像からの選択指定及び当該選択指定された前記基準骨格画像の配置位置を指定する位置指定を受け付ける受付手段と、
前記受付手段によって受け付けられた前記選択指定及び前記位置指定に基づいて、前記選択指定により選択された前記基準骨格画像を、前記位置指定により指定された前記配置位置に配置した画像を表示手段に表示するように制御する制御手段と、
を備えた花壇デザイン設計支援装置。
【請求項２】
生長した複数種類の植物の各々を花壇の正面から目視して得た外形形状に応じて分類し、分類毎に外形形状に応じて定めた基準骨格画像の少なくとも１つが花壇を正面視した状態で配置された、花壇のデザイン設計を行う際の基準となる基準骨格セット画像を予め記憶した記憶手段と、
前記基準骨格画像の位置及び幅の少なくとも一方を修正する修正指示を受け付ける受付手段と、
前記基準骨格セット画像を表示手段に表示すると共に、前記表示手段に表示された前記基準骨格画像に対して、前記受付手段によって前記修正指示が受け付けられた場合、当該修正指示に基づいて前記基準骨格画像の位置及び幅の少なくとも一方を修正するように制御する制御手段と、
を備えた花壇デザイン設計支援装置。
【請求項３】
前記基準骨格画像は、対応する植物の密度を表現する特徴を有し、
前記記憶手段は、前記基準骨格画像及び前記基準骨格画像に対応する植物の名称である植物名と、当該植物のボリューム、テクスチャ、色、剛性の少なくとも１つと、を関連付けてデータベースとして記憶している、
請求項１または２に記載の花壇デザイン設計支援装置。
【請求項４】
前記制御手段は、前記表示手段に表示した前記基準骨格画像に関連付けられた前記植物名を、対応する前記基準骨格画像に対応付けて表示するように前記表示手段を制御する、
請求項１または２に記載の花壇デザイン設計支援装置。
【請求項５】
前記記憶手段は、前記植物名と関連付けて、対応する植物の観賞可能時期をさらに予め記憶し、
前記受付手段は、希望する観賞時期を示す希望観賞時期をさらに受け付け、
前記制御手段は、前記受付手段によって受け付けられた前記希望観賞時期に対応する前記観賞可能時期が関連付けられ、かつ、前記表示手段に表示した前記基準骨格画像に関連付けられた前記植物名を選択的に表示するように前記表示手段を制御する、
請求項４に記載の花壇デザイン設計支援装置。
【請求項６】
前記記憶手段は、前記植物名と関連付けて、対応する植物の色をさらに予め記憶し、
前記受付手段は、前記植物の色指定をさらに受け付け、
前記制御手段は、前記受付手段によって受け付けられた前記色指定により指定された色に対応する色が関連付けられ、かつ、前記表示手段に表示した前記基準骨格画像に関連付けられた前記植物名を選択的に表示するように前記表示手段を制御する、
請求項４または５に記載の花壇デザイン設計支援装置。
【請求項７】
前記記憶手段は、前記植物名と関連付けて、生長した対応する植物の個体を花壇の正面から目視して得た外形形状を示す画像である個体生育型形状画像をさらに予め記憶し、
前記制御手段は、前記表示手段に表示した前記基準骨格画像に対応する植物に関連付けられた前記個体生育型形状画像を当該基準骨格画像に重畳して、もしくは、前記基準骨格画像と置換して表示するように制御する、
請求項４〜６のいずれか１項に記載の花壇デザイン設計支援装置。
【請求項８】
前記記憶手段は、前記植物名と関連付けて、生長した対応する植物の花序の特徴を示す画像である花序特徴画像をさらに予め記憶し、
前記制御手段は、前記表示手段に表示した前記基準骨格画像に対応する植物に関連付けられた前記花序特徴画像を当該基準骨格画像に重畳して、もしくは、前記基準骨格画像と置換して表示するように制御する、
請求項４〜７のいずれか１項に記載の花壇デザイン設計支援装置。
【請求項９】
前記記憶手段は、前記植物名と関連付けて、生長した対応する植物の株寸法をさらに予め記憶し、
前記制御手段は、対応する前記植物の株寸法に基づいて、前記基準骨格画像及び当該基準骨格画像に対応する前記植物を平面視した画像を前記表示手段にさらに表示するように制御する、
請求項４〜８のいずれか１項に記載の花壇デザイン設計支援装置。
【請求項１０】
前記記憶手段は、前記植物名と関連付けて、対応する植物の植栽後の予め定められた経過期間毎の生長状態を示す生長状態情報をさらに予め記憶し、
前記制御手段は、前記生長状態情報に基づいて、所定観賞期間内に前記基準骨格画像に対応する植物が衰退すると判断した場合、当該植物が衰退する時期が含まれる観賞可能時期が関連付けられ、かつ、当該衰退する植物に対応する前記基準骨格画像に関連付けられた前記植物名を選択的に表示するように前記表示手段を制御する、
請求項５〜９のいずれか１項に記載の花壇デザイン設計支援装置。
【請求項１１】
前記記憶手段は、前記植物名と関連付けて、対応する植物の植栽後の予め定められた経過期間毎の生長状態を示す生長状態情報をさらに予め記憶し、
前記受付手段は、前記植物の植栽後の経過期間をさらに受け付け、
前記制御手段は、前記受付手段によって前記経過期間が受け付けられた場合、当該経過期間に対応する生長状態情報に基づいて、前記基準骨格画像のサイズを修正するように制御する、
請求項４〜９のいずれか１項に記載の花壇デザイン設計支援装置。
【請求項１２】
前記受付手段は、前記基準骨格画像の第２選択指定をさらに受け付け、
前記制御手段は、前記経過期間が経過した時期に対応する観賞可能時期が関連付けられ、かつ、前記第２選択指定により選択された前記基準骨格画像に関連付けられた前記植物名を選択的に表示するように前記表示手段を制御する、
請求項１１に記載の花壇デザイン設計支援装置。
【請求項１３】
前記記憶手段は、前記植物名と関連付けて、対応する植物の植栽後の予め定められた経過期間毎の生長状態を示す生長状態情報をさらに予め記憶し、
前記制御手段は、所定観察期間毎の前記生長状態情報に基づいて、前記基準骨格画像のサイズを修正するように制御し、
前記受付手段は、前記表示手段に表示されている画像から前記基準骨格画像の第２選択指定をさらに受け付け、
前記制御手段は、前記画像に該当する時期に対応する観賞可能時期が関連付けられ、かつ、前記第２選択指定により選択された前記基準骨格画像に関連付けられた前記植物名を選択的に表示するように前記表示手段を制御する、
請求項４〜９のいずれか１項に記載の花壇デザイン設計支援装置。
【請求項１４】
コンピュータを、
生長した複数種類の植物の各々を花壇の正面から目視して得た外形形状に応じて分類し、分類毎に外形形状に応じて定めた基準骨格画像からの選択指定及び当該選択指定された前記基準骨格画像の配置位置を指定する位置指定を受け付ける受付手段と、
前記受付手段によって受け付けられた前記選択指定及び前記位置指定に基づいて、前記選択指定により選択された前記基準骨格画像を、前記位置指定により指定された前記配置位置に配置した状態で表示手段に表示するように制御する制御手段と、
として機能させるための花壇デザイン設計支援プログラム。
【請求項１５】
コンピュータを、
生長した複数種類の植物の各々を花壇の正面から目視して得た外形形状に応じて分類し、分類毎に外形形状に応じて定めた基準骨格画像の少なくとも１つが配置された花壇の正面視の基準となるレイアウトを示す基準骨格セット画像の前記基準骨格画像の位置及び幅の少なくとも一方を修正する修正指示を受け付ける受付手段と、
前記基準骨格セット画像を表示手段に表示すると共に、前記表示手段に表示された前記基準骨格画像に対して、前記受付手段によって前記修正指示が受け付けられた場合、当該修正指示に基づいて前記基準骨格画像の位置及び幅の少なくとも一方を修正するように制御する制御手段と、
として機能させるための花壇デザイン設計支援プログラム。
【発明の詳細な説明】
【技術分野】
【０００１】
本発明は、花壇デザイン設計支援装置及びプログラムに関する。
【背景技術】
【０００２】
従来、花壇のデザインを設計する場合、植栽した植物が生長した際に希望する視覚的なイメージを有する花壇が実現されるように、植物を選択して花壇全体のレイアウトを設計する。しかしながら、植物の生長は植物毎に各々異なり、かつ、多種多様であるため、上記の設計は容易ではない。
【０００３】
この問題を解決するために適用可能な技術として、特許文献１には、植栽用マットの立体網状体に植物の根を進入させることにより植物を自立させた植生ユニットを複数用意し、該複数の植生ユニットを組み合わせることで緑地の植生レイアウトを計画する技術が開示されている。特許文献１の技術によれば、植物を実際に植え込む前に植栽領域のレイアウトを視覚的に確認することが可能である。
【先行技術文献】
【特許文献】
【０００４】
【特許文献１】特開２００７−３０６８５９号公報
【発明の概要】
【発明が解決しようとする課題】
【０００５】
しかしながら、特許文献１に開示されている技術では、生長した植物を予め用意しなければならない、という問題点があった。また、時系列で生長変化する植物構成による花壇デザインを視覚的に確認できないために、初期デザイン設計とユーザがイメージする花壇デザイン設計とが適合しているか否かの検証ができない、という問題点があった。
【０００６】
本発明は、上記問題点を解決するためになされたものであり、植物を用意することなく、植栽した植物が生長した際に希望する視覚的なイメージが実現されるように、花壇のデザインを設計することができる花壇デザイン設計支援装置及びプログラムを提供することを目的とする。
【課題を解決するための手段】
【０００７】
上記目的を達成するために、本発明の第１の態様の花壇デザイン設計支援装置は、生長した複数種類の植物の各々を花壇の正面から目視して得た外形形状に応じて分類し、分類毎に外形形状に応じて定めた基準骨格画像を予め記憶した記憶手段と、前記基準骨格画像からの選択指定及び当該選択指定された前記基準骨格画像の配置位置を指定する位置指定を受け付ける受付手段と、前記受付手段によって受け付けられた前記選択指定及び前記位置指定に基づいて、前記選択指定により選択された前記基準骨格画像を、前記位置指定により指定された前記配置位置に配置した画像を表示手段に表示するように制御する制御手段と、を備えている。
【０００８】
本発明の花壇デザイン設計支援装置によれば、記憶手段により、生長した複数種類の植物の各々を花壇の正面から目視して得た外形形状に応じて分類し、分類毎に外形形状に応じて定めた基準骨格画像が予め記憶されている。なお、上記記憶手段には、ＲＡＭ(Random Access Memory)、ＲＯＭ(Read Only Memory)、ＥＥＰＲＯＭ(Electrically Erasable and Programmable Read Only Memory)、フラッシュＥＥＰＲＯＭ(Flash EEPROM)等の半導体記憶素子、フレキシブル・ディスク等の可搬記録媒体やハードディスク等の固定記録媒体、あるいはネットワークに接続されたサーバ・コンピュータ等に設けられた外部記憶装置が含まれる。
【０００９】
ここで、本発明では、受付手段により、基準骨格画像からの選択指定及び当該選択指定された基準骨格画像の配置位置を指定する位置指定が受け付けられ、制御手段により、受付手段によって受け付けられた選択指定及び位置指定に基づいて、選択指定により選択された基準骨格画像を、位置指定により指定された配置位置に配置した画像を表示手段に表示するように制御される。
【００１０】
このように、本発明の花壇デザイン設計支援装置によれば、生長した複数種類の植物の各々を花壇の正面から目視して得た外形形状に応じて分類し、分類毎に外形形状に応じて定めた基準骨格画像を予め記憶しておき、基準骨格画像からの選択指定及び当該選択指定された基準骨格画像の配置位置を指定する位置指定を受け付け、受け付けられた選択指定及び位置指定に基づいて、選択指定により選択された基準骨格画像を、位置指定により指定された配置位置に配置した画像を表示するように制御しているので、植物を用意することなく、希望する視覚的なイメージが実現されるように、花壇のデザインを設計することができる。
【００１１】
上記目的を達成するために、本発明の第２の態様の花壇デザイン設計支援装置は、生長した複数種類の植物の各々を花壇の正面から目視して得た外形形状に応じて分類し、分類毎に外形形状に応じて定めた基準骨格画像の少なくとも１つが花壇を正面視した状態で配置された、花壇のデザイン設計を行う際の基準となる基準骨格セット画像を予め記憶した記憶手段と、前記基準骨格画像の位置及び幅の少なくとも一方を修正する修正指示を受け付ける受付手段と、前記基準骨格セット画像を表示手段に表示すると共に、前記表示手段に表示された前記基準骨格画像に対して、前記受付手段によって前記修正指示が受け付けられた場合、当該修正指示に基づいて前記基準骨格画像の位置及び幅の少なくとも一方を修正するように制御する制御手段と、を備えている。
【００１２】
本発明の花壇デザイン設計支援装置によれば、記憶手段により、生長した複数種類の植物の各々を花壇の正面から目視して得た外形形状に応じて分類し、分類毎に外形形状に応じて定めた基準骨格画像の少なくとも１つが配置された、花壇の正面から目視して得た基準となるレイアウトを示す基準骨格セット画像が予め記憶されている。
【００１３】
ここで、本発明では、受付手段により、基準骨格画像の位置及び幅の少なくとも一方を修正する修正指示が受け付けられ、制御手段により、基準骨格画像を表示手段に表示すると共に、表示手段に表示された基準骨格画像に対して、受付手段によって修正指示が受け付けられた場合、当該修正指示に基づいて基準骨格画像の位置及び幅の少なくとも一方を修正するように制御される。
【００１４】
このように、本発明の花壇デザイン設計支援装置によれば、生長した複数種類の植物の各々を花壇の正面から目視して得た外形形状に応じて分類し、分類毎に外形形状に応じて定めた基準骨格画像の少なくとも１つが配置された、花壇の正面から目視して得た基準となるレイアウトを示す基準骨格セット画像を予め記憶しておき、基準骨格画像の位置及び幅の少なくとも一方を修正する修正指示を受け付け、基準骨格セット画像を表示すると共に、表示された基準骨格画像に対して、修正指示が受け付けられた場合、当該修正指示に基づいて基準骨格画像の位置及び幅の少なくとも一方を修正するように制御しているので、花壇デザインの設計の経験が浅いユーザであっても、質感やフォルムのイメージを有する基準骨格画像を用いて花壇デザインを完成することで、植栽した植物が生長した際に、顧客の希望する視覚的なイメージが実現されるように容易に花壇デザインを設計することができる。
【発明の効果】
【００１５】
本発明によれば、生長した複数種類の植物の各々を花壇の正面から目視して得た外形形状に応じて分類し、分類毎に外形形状に応じて定めた基準骨格画像を予め記憶しておき、基準骨格画像からの選択指定及び当該選択指定された基準骨格画像の配置位置を指定する位置指定を受け付け、受け付けられた選択指定及び位置指定に基づいて、選択指定により選択された基準骨格画像を、位置指定により指定された配置位置に配置した画像を表示するように制御しているので、植物を用意することなく、希望する視覚的なイメージが実現されるように、花壇デザインを設計することができる、という効果が得られる。
【００１６】
また、本発明によれば、生長した複数種類の植物の各々を花壇の正面から目視して得た外形形状に応じて分類し、分類毎に外形形状に応じて定めた基準骨格画像の少なくとも１つが配置された、花壇の正面から目視して得た基準となるレイアウトを示す基準骨格セット画像を予め記憶しておき、基準骨格画像の位置及び幅の少なくとも一方を修正する修正指示を受け付け、基準骨格セット画像を表示すると共に、表示された基準骨格画像に対して、修正指示が受け付けられた場合、当該修正指示に基づいて基準骨格画像の位置及び幅の少なくとも一方を修正するように制御しているので、花壇デザインの設計の経験が浅いユーザであっても、植栽した植物が生長した際に、顧客の希望する視覚的なイメージが実現されるように容易に花壇デザインを設計することができる、という効果が得られる。
【図面の簡単な説明】
【００１７】
【図１】実施の形態に係る花壇デザイン設計支援装置の要部構成を示すブロック図である。
【図２】実施の形態に係る花壇デザイン設計支援装置の機能的な構成を示す機能ブロック図である。
【図３】第１の実施の形態に係る花壇デザイン設計支援装置に備えられた二次記憶部の主な記憶内容を示す模式図である。
【図４】実施の形態に係る基準骨格画像データベースの構成を示す模式図である。
【図５Ａ】実施の形態に係る基準骨格画像の一例を示す正面図である。
【図５Ｂ】実施の形態に係る基準骨格画像の一例を示す正面図である。
【図５Ｃ】実施の形態に係る基準骨格画像の一例を示す正面図である。
【図５Ｄ】実施の形態に係る基準骨格画像の一例を示す正面図である。
【図５Ｅ】実施の形態に係る基準骨格画像の一例を示す正面図である。
【図５Ｆ】実施の形態に係る基準骨格画像の一例を示す正面図である。
【図５Ｇ】実施の形態に係る基準骨格画像の一例を示す正面図である。
【図５Ｈ】実施の形態に係る基準骨格画像の一例を示す正面図である。
【図５Ｉ】実施の形態に係る基準骨格画像の一例を示す正面図である。
【図５Ｊ】実施の形態に係る基準骨格画像の一例を示す正面図である。
【図５Ｋ】実施の形態に係る基準骨格画像の一例を示す正面図である。
【図５Ｌ】実施の形態に係る基準骨格画像の一例を示す正面図である。
【図５Ｍ】実施の形態に係る基準骨格画像の一例を示す正面図である。
【図５Ｎ】実施の形態に係る基準骨格画像の一例を示す正面図である。
【図５Ｏ】実施の形態に係る基準骨格画像の一例を示す正面図である。
【図６Ａ】実施の形態に係る植物及び該植物に対応する基準骨格画像、基本形状画像、花序特徴画像の一例を示す正面図である。
【図６Ｂ】実施の形態に係る植物及び該植物に対応する基準骨格画像、基本形状画像、花序特徴画像の一例を示す正面図である。
【図６Ｃ】実施の形態に係る植物及び該植物に対応する基準骨格画像、基本形状画像、花序特徴画像の一例を示す正面図である。
【図６Ｄ】実施の形態に係る植物及び該植物に対応する基準骨格画像、基本形状画像、花序特徴画像の一例を示す正面図である。
【図７】実施の形態に係る花壇デザイン設計支援プログラムの全体的な処理の流れを示すフローチャートである。
【図８】第１の実施の形態に係る花壇デザイン設計処理ルーチン・プログラムの処理の流れを示すフローチャートである。
【図９】実施の形態に係る情報入力画面の一例を示す正面図である。
【図１０】第１の実施の形態に係る花壇デザイン設計画面（その１）を示す正面図である。
【図１１】第１の実施の形態に係る花壇デザイン設計画面（その２）を示す正面図である。
【図１２】実施の形態に係る花壇デザイン設計画面（その３）を示す正面図である。
【図１３】実施の形態に係る花壇デザイン設計画面（その４）を示す正面図である。
【図１４】実施の形態に係るプルダウン・メニューを示す図である。
【図１５】実施の形態に係る植物名表示処理ルーチン・プログラムの処理の流れを示すフローチャートである。
【図１６Ａ】実施の形態に係るダイアログ・ボックス（その１）を示す正面図である。
【図１６Ｂ】実施の形態に係るダイアログ・ボックス（その２）を示す正面図である。
【図１７】実施の形態に係る情報入力画面を示す正面図である。
【図１８】実施の形態に係る平面視レイアウト表示処理ルーチン・プログラムの処理の流れを示すフローチャートである。
【図１９Ａ】実施の形態に係る図１９Ｂに示す平面視レイアウト画面に対応する花壇デザイン設計画面（その５）を示す正面図である。
【図１９Ｂ】実施の形態に係る図１９Ａに示す花壇デザイン設計画面（その５）に対応する平面視レイアウト画面を示す正面図である。
【図２０】実施の形態に係る個体生育型形状画像表示処理ルーチン・プログラムの処理の流れを示すフローチャートである。
【図２１Ａ】実施の形態に係る基準骨格画像に基本形状画像を重畳して表示した例を示す正面図である。
【図２１Ｂ】実施の形態に係る基準骨格画像に花序特徴画像を重畳して表示した例を示す正面図である。
【図２１Ｃ】実施の形態に係る個体生育型形状画像の一例である。
【図２１Ｄ】実施の形態に係る個体生育型形状画像の一例である。
【図２１Ｅ】実施の形態に係る個体生育型形状画像の一例である。
【図２１Ｆ】実施の形態に係る個体生育型形状画像の一例である。
【図２１Ｇ】実施の形態に係る個体生育型形状画像の一例である。
【図２１Ｈ】実施の形態に係る木特徴画像の一例である。
【図２１Ｉ】実施の形態に係る木特徴画像の一例である。
【図２１Ｊ】実施の形態に係る木特徴画像の一例である。
【図２１Ｋ】実施の形態に係る木特徴画像の一例である。
【図２１Ｌ】実施の形態に係る木特徴画像の一例である。
【図２２】実施の形態に係る花序特徴画像表示処理ルーチン・プログラムの処理の流れを示すフローチャートである。
【図２３】実施の形態に係る植物の生長シミュレーション処理ルーチン・プログラムの処理の流れを示すフローチャートである。
【図２４】実施の形態に係る情報入力画面の一例を示す正面図である。
【図２５】実施の形態に係る生長シミュレーション結果画面を示す正面図である。
【図２６】第２の実施の形態に係る花壇デザイン設計支援装置に備えられた二次記憶部の主な記憶内容を示す模式図である。
【図２７】第２の実施の形態に係る基準骨格セット画像データベースの構成を示す模式図である。
【図２８】第２の実施の形態に係る花壇デザイン設計処理ルーチン・プログラムの処理の流れを示すフローチャートである。
【図２９】第２の実施の形態に係る花壇デザイン設計画面（その６）を示す正面図である。
【発明を実施するための形態】
【００１８】
以下、図面を参照して本発明を実施するための形態について詳細に説明する。
【００１９】
［第１の実施の形態］
【００２０】
まず、図１を参照して、本実施の形態に係る花壇デザイン設計支援装置１０の要部構成を説明する。
【００２１】
図１に示すように、本実施の形態に係る花壇デザイン設計支援装置１０は、システムバスＢＵＳに接続され、当該花壇デザイン設計支援装置１０全体の動作を司るＣＰＵ(Central Processing Unit、中央処理装置）１２が備えられている。
【００２２】
システムバスＢＵＳには、ＣＰＵ１２による各種プログラムの実行時のワークエリア等として用いられるＲＡＭ(Random Access Memory)１４及び各種制御プログラムや各種パラメータ等が予め記憶されたＲＯＭ(Read Only Memory)１６が接続されている。また、システムバスＢＵＳには、各種情報を記憶するために用いられる記憶手段としての二次記憶部（ここでは、ハードディスク装置）１８と、各種情報を入力するために用いられるキーボード２０及びマウス２２が接続されている。さらに、システムバスＢＵＳには、各種情報を表示するために用いられるディスプレイ２４が接続されている。
【００２３】
したがって、ＣＰＵ１２は、ＲＡＭ１４、ＲＯＭ１６、及び二次記憶部１８に対するアクセス、キーボード２０及びマウス２２を介した各種入力情報の取得、及びディスプレイ２４に対する各種情報の表示を各々行うことができる。
【００２４】
なお、本実施の形態に係る二次記憶部１８は、生長した複数種類の植物の各々を花壇の正面から目視して得た外形形状に応じて分類し、分類毎に外形形状に応じて定めた基準骨格画像を予め記憶している。
【００２５】
図２は、本実施の形態に係る花壇デザイン設計支援装置１０の機能的な構成を示す機能ブロック図である。図２に示すように、本実施の形態に係る花壇デザイン設計支援装置１０は、受付部１２Ａと、制御部１２Ｂと、を備えている。
【００２６】
本実施の形態に係る受付部１２Ａは、二次記憶部１８に記憶されている基準骨格画像からの選択指定及び当該選択指定された基準骨格画像の配置位置を指定する位置指定を受け付ける。また、本実施の形態に係る制御部１２Ｂは、受付部１２Ａによって受け付けられた選択指定及び位置指定に基づいて、上記選択指定により選択された基準骨格画像を、上記位置指定により指定された配置位置に配置した画像をディスプレイ２４に表示するように制御する。
【００２７】
一方、図３には、本実施の形態に係る花壇デザイン設計支援装置１０に備えられた二次記憶部１８の主な記憶内容が模式的に示されている。
【００２８】
図３に示すように、二次記憶部１８には、各種データベースを記憶するためのデータベース領域ＤＢと、各種アプリケーション・プログラム等を記憶するためのプログラム領域ＰＧと、が設けられている。また、データベース領域ＤＢには、基準骨格画像データベースＤＢ１が含まれる。以下、基準骨格画像データベースＤＢ１の構成について詳細に説明する。
【００２９】
図４に示すように、本実施の形態に係る基準骨格画像データベースＤＢ１は、基準骨格画像、観賞可能時期、色、植物名、株寸法、価格、個体生育型形状画像、及び花序特徴画像の各情報が記憶されるように構成されている。
【００３０】
なお、上記基準骨格画像は、前述したように、生長した複数種類の植物の各々を花壇の正面から目視して得た外形形状に応じて分類し、分類毎に外形形状に応じて定めた画像である（図５Ａ〜図５Ｏも参照）。基準骨格画像は、密度を表現する特徴を有することができ、基準骨格画像データベースＤＢ１は、少なくとも基準骨格画像及び前記基準骨格画像に対応する植物の名称である植物名と、植物のボリューム、テクスチャ、色、剛性（見た目あるいは実際の硬さもしくは柔らかさを示す度合い）の少なくとも１つを関連付けて記憶することができる。
【００３１】
また、上記観賞可能時期は、対応する基準骨格画像に対応する植物の観賞に適した時期を区分して示す情報である。また、上記色は、対応する植物が有する色の系統を区分して示す情報である。また、上記植物名は、対応する植物の名称を示す情報である。また、上記株寸法は、対応する植物が生長した時点での当該植物の株の幅を示す情報である。さらに、上記価格は、対応する植物の１株当たりの流通規格及び流通価格を示す情報である。
【００３２】
また、上記個体生育型形状画像は、生長した植物の個体を花壇の正面から目視して得た外形形状に応じて分類し、分類毎に外形形状に応じて定めた画像である。さらに、上記花序特徴画像は、生長した植物の花序の特徴に応じて分類し、分類毎に花序の特徴に応じて定めた画像である。ここで、花序とは、枝上における花の配列状態のことである。
【００３３】
図５Ａ〜図５Ｏには、本実施の形態に係る基準骨格画像の例が示されている。
【００３４】
図５Ａに示す基準骨格画像５０Ａは、背が高く密度の高い塊として視認される植物に対応する基準骨格画像である。具体的には、例えば、デルフィニウム、ルピナス、ジキタリス、コリウスなどがこの植物に該当する。また、図５Ｂに示す基準骨格画像５０Ｂは、背が高く密度の低い塊として視認される植物に対応する基準骨格画像である。具体的には、例えば、レースフラワー、オルレア、ラクスパー、コキアなどがこの植物に該当する。
【００３５】
また、図５Ｃに示す基準骨格画像５０Ｃは、図５Ａに示した基準骨格画像５０Ａに属する植物よりも直線的な輪郭を有する、密度の高い塊として視認される植物に対応する基準骨格画像である。具体的には、例えば、ラベンダー、サルビア・アズレア、ハゲイトウなどがこの植物に該当する。また、図５Ｄに示す基準骨格画像５０Ｄは、基準骨格画像５０Ａに属する植物よりも直線的な輪郭を有する、密度の低い塊として視認される植物に対応する基準骨格画像である。具体的には、例えば、アトリプレックスなどがこの植物に該当する。
【００３６】
また、図５Ｅに示す基準骨格画像５０Ｅは、菱形の輪郭を有する、密度の高い塊として視認される植物に対応する基準骨格画像である。具体的には、例えば、カラー、アカンサスモリス、アガパンサスなどがこの植物に該当する。また、図５Ｆに示す基準骨格画像５０Ｆは、菱形の輪郭を有する、密度の低い塊として視認される植物に対応する基準骨格画像である。
【００３７】
また、図５Ｇに示す基準骨格画像５０Ｇは、扇形の輪郭を有する、密度の高い塊として視認される植物に対応する基準骨格画像である。具体的には、例えば、マーガレット、オステオスペルマム、ベコニアなどがこの植物に該当する。また、図５Ｈに示す基準骨格画像５０Ｈは、扇形の輪郭を有する、密度の低い塊として視認される植物に対応する基準骨格画像である。具体的には、例えば、カスミソウなどがこの植物に該当する。
【００３８】
また、図５Ｉに示す基準骨格画像５０Ｉは、半円型の輪郭を有する、密度の高い塊として視認される植物に対応する基準骨格画像である。具体的には、例えば、オンファロイデス、ローダンセマム、オーニソガラム、ギボウシなどがこの植物に該当する。また、図５Ｊに示す基準骨格画像５０Ｊは、半円型の輪郭を有する、密度の低い塊として視認される植物に対応する基準骨格画像である。具体的には、例えば、ヒペリカム、フウチソウ、アルテミシアなどがこの植物に該当する。
【００３９】
また、図５Ｋに示す基準骨格画像５０Ｋは、匍匐性の植物に対応する基準骨格画像である。具体的には、例えば、ヘリクリサム、リシマキア、ヘデラなどがこの植物に該当する。また、図５Ｌに示す基準骨格画像５０Ｌの下部の波型の輪郭は、植物の葉をデザインの一環として利用することを示す。具体的には、例えば、アジュガ、ヒューケラなどがこの植物に該当する。
【００４０】
また、図５Ｍに示す基準骨格画像５０Ｍは、密度の高い低木に対応する基準骨格画像であり、図５Ｌに示す基準骨格画像５０Ｌは、密度の低い低木に対応する基準骨格画像である。また、図５Ｏに示す基準骨格画像５０Ｏは、グラス類に対応する基準骨格画像である。具体的には、例えば、ベニチガヤ、コルジリネ、ススキ、ミスカンサスなどがこの植物に該当する。なお、各々の基準骨格画像は、例えば、高・中・低などの高さ毎に複数あってもよい。
【００４１】
例えば、各基準骨格画像５０Ａ〜５０Ｏの輪郭線に二重線を用いることにより、当該基準骨格画像に属する植物が常緑植物であることを示してもよい。なお、図５Ａ〜図５Ｏの基準骨格画像は例であり、本発明は、これらの基準骨格画像に限定されるものではない。
【００４２】
図４に示す例では、例えば、植物名Ａの植物に対応する基準骨格画像が画像Ｂ１（一例として図５Ａ〜図５Ｏのいずれか）であり、当該植物の観賞に適した時期（例えば、開花期間など）が１月から２月までであり、当該植物がトロピカル系の色を有し、当該植物が生長した時点での株寸法が３０ｃｍであることを示している。また、当該植物の１株辺りの流通規格が３号ポットであり、価格が２００円であり、当該植物の個体生育型形状画像が画像Ｓ１（一例として、図２１Ｃ〜図２１Ｇの個体生育型形状画像のいずれか）であり、当該植物の花序特徴画像（一例として、図６Ａ〜図６Ｄの花序特徴画像５４のいずれか）が画像Ｆ１であることを示している。
【００４３】
図６Ａ〜図６Ｄには、本実施の形態に係る植物（ここでは、ベロニカ・テウクリウム、ベロニカ・スピタカ、ホワイトレースフラワー、カスミソウ）の実画像４０、基準骨格画像５０、基本形状画像５２、及び花序特徴画像５４の例が示されている。基本形状画像は、植物に対応する花序特徴画像と当該植物に対応する個体生育型形状画像との組み合わせに基づいて決定される画像である。
【００４４】
なお、図２に示すように、構成された花壇デザイン設計支援装置１０の各構成要素（受付部１２Ａ、制御部１２Ｂ）による処理は、プログラムを実行することにより、コンピュータを利用してソフトウェア構成により実現してもよい。この場合、当該プログラムに本実施の形態に係るプログラムが含まれることになる。但し、ソフトウェア構成による実現に限られるものではなく、ハードウェア構成、もしくは、ハードウェア構成とソフトウェア構成との組み合わせによって実現してもよい。
【００４５】
以下では、本実施の形態に係る花壇デザイン設計支援装置１０が、上記プログラムを実行することにより上記各構成要素による処理を実現するものとされている場合について説明する。この場合、当該プログラムを花壇デザイン設計支援装置１０に予めインストールしておく形態、コンピュータ読み取り可能な記録媒体に格納された状態で提供される形態、有線又は無線による通信手段を介して配信される形態等を適用してもよい。
【００４６】
次に、図７を参照して、本実施の形態に係る花壇デザイン設計支援装置１０の作用を説明する。なお、図７は、キーボード２０もしくはマウス２２を介して実行する旨の指示入力が行われた際に花壇デザイン設計支援装置１０のＣＰＵ１２によって実行される花壇デザイン設計支援プログラムの処理の流れを示すフローチャートであり、当該プログラムは二次記憶部１８のプログラム領域ＰＧに予め記憶されている。
【００４７】
まず、ステップ１００では、ユーザにより正面視した花壇のデザイン設計を行うために実行される花壇デザイン設計処理ルーチン・プログラムを実行する。
【００４８】
図８を参照して、本実施の形態に係る花壇デザイン設計処理ルーチン・プログラムについて説明する。
【００４９】
図８のステップ１０２では、予め定められた情報入力画面を表示するようにディスプレイ２４を制御し、次のステップ１０４では、所定情報の入力待ちを行う。
【００５０】
図９には、本実施の形態に係る情報入力画面の一例が示されている。図９に示すように、本実施の形態に係る情報入力画面では、設計対象とする花壇（以下、「設計対象花壇」という。）のサイズ（本実施の形態では、正面視した際の幅、及び奥行き長さの２つのサイズ）の入力領域と、設計対象花壇の観賞を希望する希望観賞時期の入力領域と、が表示される。
【００５１】
図９に示されるような情報入力画面がディスプレイ２４に表示されると、ユーザは、上記花壇のサイズ及び希望観賞時期の各々を、対応する入力領域に、キーボード２０、マウス２２等を介して入力し、その後に、当該画面の下端近傍に表示されている終了ボタン２４Ａをマウス２２によりポインティング指定する。これに応じて上記ステップ１０４が肯定判断となり、ステップ１０６に移行する。
【００５２】
ステップ１０６では、基準骨格画像データベースＤＢ１から全ての基準骨格画像を読み出し、次のステップ１０８にて、読み出した基準骨格画像を用いて、花壇デザイン設計画面を表示するようにディスプレイ２４を制御する。
【００５３】
図１０には、本実施の形態に係る花壇デザイン設計画面の一例が示されている。図１０に示すように、本実施の形態に係る花壇デザイン設計画面では、上記ステップ１０６の処理によって読み出した基準骨格画像５０Ａ〜５０Ｅが左端近傍に縦に並べて表示されると共に、当該基準骨格画像５０Ａ〜５０Ｅの表示領域を除くほぼ全ての表示領域に花壇デザインを設計する領域であるデザイン表示部２４Ｂが表示される。
【００５４】
図１０に示されるような花壇デザイン設計画面がディスプレイ２４に表示されると、ユーザは、設計対象花壇に配置したい植物の外形形状を示す基準骨格画像をマウス２２にて選択的にポインティング指定（以下、「選択指定」という。）した後、当該基準骨格画像を配置したいデザイン表示部２４Ｂにおける位置をマウス２２にてポインティング指定（以下、「位置指定」という。）する。なお、本実施の形態では、上記基準骨格画像に対する選択指定及び位置指定を、マウス２２を用いた操作により行っているが、これに限るものではなく、例えば、キーボード２０に一般的に設けられている矢印キーやエンターキー等を用いて、これらの指定を行ってもよい。
【００５５】
そして、ユーザは、所望する全ての基準骨格画像のデザイン表示部２４Ｂへの配置が終了すると、花壇デザイン設計画面の下端部近傍に表示されている配置終了ボタン２４Ｃをマウス２２によりポインティング指定する。
【００５６】
そこで、次のステップ１１０では、ユーザによって上記位置指定が行われたか否かを判断することにより、基準骨格画像の選択指定及び位置指定が行われたか否かを判断し、肯定判断となった場合は、ステップ１１２に移行して、指定された基準骨格画像を指定された位置に表示するようにディスプレイ２４を制御した後、上記ステップ１１０に戻る。
【００５７】
一方、上記ステップ１１０において否定判断となった場合はステップ１１４に移行し、ユーザによって配置終了ボタン２４Ｃが指定されたか否かを判断し、否定判断となった場合は上記ステップ１１０に戻る一方、肯定判断となった場合にはステップ１１６に移行する。
【００５８】
図１１には、以上の処理により、ユーザによってデザイン表示部２４Ｂに設計された設計対象花壇のデザインを示す画像（以下、「花壇デザイン画像」という。）の一例が示されている。
【００５９】
図１１に示すように、本実施の形態に係る花壇デザイン画像では、ユーザによって選択された基準骨格画像５０Ａ〜５０Ｏの組み合わせによって配置された構成イメージが花壇レイアウトとして完成されたデザインとして表示される。なお、この際、既に配置されている基準骨格画像の重ね合わせ状態を、マウス２２等による操作によって変更することができるようにしてもよい。
【００６０】
ところで、ユーザは、デザイン表示部２４Ｂに配置した基準骨格画像の位置を変更したい場合、上述した選択指定及び位置指定と同様の操作で、所望の基準骨格画像の位置を変更する操作（以下、「位置変更操作」という。）を行う。
【００６１】
また、ユーザは、デザイン表示部２４Ｂに配置した基準骨格画像のサイズ（幅及び高さの少なくとも一方）を変更したい場合、当該基準骨格画像の輪郭線におけるサイズを変更したい方向（拡大なら基準骨格画像の外側で、縮小なら基準骨格画像の内側）に対向する位置をマウス２２にてポインティング指定した後、当該指定した位置の輪郭線が、当該基準骨格画像が所望のサイズとなる位置をマウス２２にてポインティング指定する操作（以下、「サイズ変更操作」という。）を行う。
【００６２】
なお、本実施の形態では、上記基準骨格画像に対するサイズ変更操作を、マウス２２を用いて行っているが、これに限るものではなく、例えば、キーボード２０に一般的に設けられている矢印キーやエンターキー等を用いて、サイズ変更操作を行ってもよい。
【００６３】
そして、ユーザは、所望とする全ての基準骨格画像の位置変更操作及びサイズ変更操作が終了すると、花壇デザイン設計画面の下端部近傍に表示されている終了ボタン２４Ｄをマウス２２によりポインティング指定する。
【００６４】
そこで、次のステップ１１６では、ユーザによって上記位置変更操作が行われたか否かを判断し、肯定判断となった場合はステップ１１８に移行して、指定された基準骨格画像を、指定された位置に移動して表示するようにディスプレイ２４を制御した後、上記ステップ１１６に戻る。
【００６５】
図１２には、上記位置変更操作により、基準骨格画像の位置が変更された場合の花壇デザイン画像の一例が示されている。なお、図１２では、図１１において最後尾の左端に位置する基準骨格画像５０Ｄがより左に移動された場合について示されている。
【００６６】
一方、上記ステップ１１６において否定判断となった場合はステップ１２０に移行し、ユーザによって上記サイズ変更操作が行われたか否かを判断し、肯定判断となった場合はステップ１２２に移行して、指定された基準骨格画像のサイズを、指定されたサイズに変更して表示するようにディスプレイ２４を制御した後、上記ステップ１１６に戻る。
【００６７】
図１３には、上記サイズ変更操作により、基準骨格画像のサイズが変更された場合の花壇デザイン画像の一例が示されている。なお、図１３では、図１１において中央部に位置する基準骨格画像５０Ａが、左方向に拡大された場合について示されている。
【００６８】
一方、上記ステップ１２０において否定判断となった場合はステップ１２４に移行し、ユーザによって終了ボタン２４Ｄが指定されたか否かを判断することにより、ユーザによる基準骨格画像に対する位置変更操作及びサイズ変更操作が終了したか否かを判断し、否定判断となった場合は上記ステップ１１６に戻る一方、肯定判断となった場合には、ステップ１２６に移行する。ステップ１２６において、デザイン表示部２４Ｂに表示されているユーザによって設計された花壇デザイン画像を二次記憶部１８に記憶した後、本花壇デザイン設計処理ルーチン・プログラムを終了する。
【００６９】
なお、上記実施の形態では、全ての基準骨格画像をデザイン表示部２４Ｂに配置した後に、基準骨格画像の位置、サイズの変更や、植物名表示処理、平面視レイアウト表示処理等の各種処理を実行する場合について説明したが、本発明はこれに限定されるものではなく、例えば、上記基準骨格画像の位置、サイズの変更や、上記各種処理を実行しつつ、基準骨格画像の配置を行う形態としてもよい。
【００７０】
また、上記実施の形態では、デザイン表示部２４Ｂに配置した基準骨格画像を削除する機能については言及しなかったが、一旦配置した基準骨格画像をデザイン表示部２４Ｂから削除する形態としてもよい。
【００７１】
なお、この場合の形態例としては、ユーザにより、デザイン表示部２４Ｂに表示されている削除したい基準骨格画像がマウス２２によりポインティング指定された後、図示しないプルダウン・メニューにて削除を指示するメニューがマウス２２により指定された場合に、指定された基準骨格画像を削除する形態を例示することができる。
【００７２】
本発明では、生長した複数種類の植物の各々を、花壇の正面から目視して得た外形形状に応じて分類し、分類毎に外形形状に応じて定めた基準骨格画像をデザイン表示部２４Ｂに配置することにより花壇のデザインの設計を行う。これにより、ユーザは、植栽した植物が生長した際に、顧客の希望する視覚的なイメージが実現されるように、容易に花壇のデザインを設計することができる。
【００７３】
花壇デザイン設計処理ルーチン・プログラムが終了すると、ユーザは、キーボード２０またはマウス２２に対するプルダウン・メニューをディスプレイ２４に表示させるための操作を行う。これに応じて、ＣＰＵ１２は、ディスプレイ２４に、一例として図１４に示すプルダウン・メニュー２６を表示させるように制御する。
【００７４】
なお、本実施の形態に係るプルダウン・メニュー２６には、図１４に示すように、上記花壇デザイン設計処理ルーチン・プログラムの実行によりユーザによって設計された花壇レイアウトにおいて採用された植物の名称を表示する植物名表示処理を実行させる植物名表示処理メニュー２６Ａ、ユーザによって設計された正面視の花壇レイアウトを平面視した状態で表示する平面視レイアウト表示処理を実行させる平面視レイアウト表示処理メニュー２６Ｂ、ユーザによって設計された正面視の花壇レイアウトに含まれる基準骨格画像に対応する個体生育型形状画像を、当該基準骨格画像に重複して表示する個体生育型形状画像表示処理を実行させる個体生育型形状画像表示処理メニュー２６Ｃ、ユーザによって設計された正面視の花壇レイアウトに含まれる基準骨格画像に対応する花序特徴画像を、当該基準骨格画像に重複して表示する花序特徴画像表示処理を実行させる花序特徴画像表示処理メニュー２６Ｄ、及びユーザによって設計された正面視の花壇レイアウトに含まれる基準骨格画像に対応する植物の生長のシミュレーションを行う生長シミュレーション処理を実行させる生長シミュレーション処理メニュー２６Ｅの他、本花壇デザイン設計支援プログラムの終了を指示するための終了メニュー２６Ｆが含まれる。
【００７５】
図１４に示されるプルダウン・メニュー２６がディスプレイ２４に表示されると、ユーザは所望の処理に対応するメニューを、キーボード２０またはマウス２２を介して指定する。
【００７６】
そこで、花壇デザイン設計支援プログラム（メイン・プログラム、図７参照）のステップ２００Ａでは、ユーザによって植物名表示処理メニュー２６Ａが指定されたか否かを判断し、肯定判断となった場合は、ステップ２００に移行する。ステップ２００では、後述する植物名表示処理ルーチン・プログラム（図１５も参照。）を実行して、ステップ７００Ａに移行する。
【００７７】
一方、上記ステップ２００Ａにおいて否定判断となった場合はステップ３００Ａに移行し、ユーザによって平面視レイアウト表示処理メニュー２６Ｂが指定されたか否かを判断し、肯定判断となった場合は、ステップ３００に移行する。ステップ３００では、後述する平面視レイアウト表示処理ルーチン・プログラム（図１８も参照。）を実行して、ステップ７００Ａに移行する。
【００７８】
一方、上記ステップ３００Ａにおいて否定判断となった場合はステップ４００Ａに移行し、ユーザによって個体生育型形状画像表示処理メニュー２６Ｃが指定されたか否かを判断し、肯定判断となった場合は、ステップ４００に移行する。ステップ４００では、後述する個体生育型形状画像表示処理ルーチン・プログラム（図２０も参照）を実行して、ステップ７００Ａに移行する。
【００７９】
一方、上記ステップ４００Ａにおいて否定判断となった場合はステップ５００Ａに移行し、ユーザによって花序特徴画像表示処理メニュー２６Ｄが指定されたか否かを判断し、肯定判断となった場合は、ステップ５００に移行する。ステップ５００では、後述する花序特徴画像表示処理ルーチン・プログラム（図２２も参照。）を実行して、ステップ７００Ａに移行する。
【００８０】
一方、上記ステップ５００Ａにおいて否定判断となった場合はステップ６００Ａに移行し、ユーザによって生長シミュレーション処理メニュー２６Ｅが指定されたか否かを判断し、肯定判断となった場合は、ステップ６００に移行する。ステップ６００では、後述する生長シミュレーション処理ルーチン・プログラム（図２３も参照。）を実行して、ステップ７００Ａに移行する。
【００８１】
一方、上記ステップ６００Ａにおいて否定判断となった場合はステップ７００Ａに移行する。ステップ７００Ａでは、ユーザによって終了メニュー２６Ｆが指定されたか否かを判断し、肯定判断となった場合は、花壇デザイン設計支援プログラムを終了する。一方、上記ステップ７００Ａにおいて否定判断となった場合は、ステップ２００Ａに戻る。
【００８２】
次に、図１５を参照して、本実施の形態に係る植物名表示処理ルーチン・プログラムについて説明する。ユーザがマウス２２によって図１４の植物名表示処理メニュー２６Ａをポインティング指定すると、図７のステップ２００Ａにおいて肯定判断となって、ステップ２０２に移行する。ステップ２０２では、基準骨格画像データベースＤＢ１を検索し、デザイン表示部２４Ｂに表示されている基準骨格画像の各々に対応する植物名を読み出す。ステップ２０４では、基準骨格画像の各々に対応する植物名をダイアログ・ボックス表示するようにディスプレイ２４を制御する。
【００８３】
図１６Ａには、基準骨格画像に対応する植物名が表示されているダイアログ・ボックス２５の一例が示されている。基準骨格画像と植物名との対応を理解し易くするために、植物名及びデザイン表示部２４Ｂに表示されている対応する基準骨格画像に同一の番号を付すようにしてもよい。
【００８４】
ステップ２０６では、デザイン表示部２４Ｂに表示されている基準骨格画像の全てについて植物名の表示が実行されたか否かを判断する。否定判断となった場合は、ステップ２０２に戻る。肯定判断となった場合、ステップ２０８に移行する。ユーザは、マウス２２によって、植物名を変更したいデザイン表示部２４Ｂに表示されている基準骨格画像をポインティング指定する（以下、「植物名変更指示」という。）。そして、ユーザは、植物名変更指示が終了すると、終了ボタン２４Ｄをマウス２２によりポインティング指定する。
【００８５】
ステップ２０８では、ユーザによって植物名変更指示が行われたか否かを判断する。肯定判断となった場合、ステップ２１０に移行する。ステップ２１０では、基準骨格画像データベースＤＢ１を検索し、ステップ２０２で読み出したレコードとは異なるレコードから当該基準骨格画像に対応する植物名を読み出す。次のステップ２１２では、ステップ２１０で読み出した植物名をダイアログ・ボックスに表示するようにディスプレイ２４を制御し、ステップ２０８に戻る。
【００８６】
ステップ２０８において否定判断となった場合、ステップ２１４に移行し、ユーザによって終了ボタン２４Ｄが指定されたか否かを判断する。否定判断となった場合には、ステップ２０８に戻り、肯定判断となった場合には、本植物名表示処理ルーチン・プログラムを終了する。
【００８７】
なお、植物名変更指示は、例えば、ユーザが、マウス２２によって、ダイアログ・ボックス２５に表示されている植物名のいずれかをポインティング指定することによって行われてもよいし、キーボード２０の矢印キー及びエンターキーによって植物名のいずれかを指定することによって行われてもよい。また、本実施の形態は、図１５の処理の流れに限定されず、例えば、複数のレコードから、デザイン表示部２４Ｂに表示されている基準骨格画像に対応する複数の植物名を読み出し、当該複数の植物名をダイアログ・ボックス２５に植物名候補としてリスト表示するようにしてもよい。
【００８８】
ステップ２０２で植物名を読み出す際に、例えば、基準骨格画像だけでなく、図８のステップ１０４で入力された希望観賞時期も用いて基準骨格画像データベースＤＢ１を検索してもよい。すなわち、当該基準骨格画像に対応し、かつ、入力された希望観賞時期にも対応する植物名を読み出すようにしてもよい。希望観賞時期に対応する、とは、例えば、観賞可能時期フィールドに含まれる情報が入力された希望観賞時期を含んでいる状態であってもよいし、観賞可能時期フィールドに含まれる情報と入力された希望観賞時期とが少なくとも一部一致する状態であってもよい。
【００８９】
さらに、例えば、ステップ１０４で、希望観賞時期以外の植物の色、初期費用、管理費用などの情報が入力されてもよい。この場合、基準骨格画像と共にこれらの情報に対応する植物名が基準骨格画像データベースＤＢ１から読み出される。なお、これらの情報の入力は、ステップ１０４ではなく、例えば、植物名表示処理ルーチン開始後、ステップ２０２の前などで行われてもよい。
【００９０】
なお、植物の色は、例えば、鮮明な色をトロピカル系とし、淡い色をパステル系とし、つやの少ない色をマット系とすることができる。本実施の形態は、これらに限定されず、植物の色は、赤系、青系などであってもよいし、赤、青など具体的な色名であってもよい。植物の色をユーザに選択させるために、色相環及び色見本の少なくとも一方をディスプレイ２４により提示してもよい。さらに、基準骨格画像データベースＤＢ１は、花の有無、植物に適した花壇の土壌、花壇の周辺環境などのフィールドをさらに含み、花の有無、植物に適した花壇の土壌、花壇の周辺環境などの情報にも対応する植物名の選択が行われてもよい。
【００９１】
図１７には、図９に示した情報入力画面とは異なる情報入力画面の一例が示されている。日照状況は、予め３種類用意され、いずれかを選択することが可能となっている。日照状況は、例えば、基準骨格画像データベースＤＢ１の周辺環境フィールドに含まれるデータに対応する。周辺環境フィールドは日照状況だけでなく、例えば、花壇の存在する地域の緯度・経度情報などの地理情報から求められる複合的なデータを有していてもよい。あるいは、基準骨格画像データベースＤＢ１が日照状況のみに該当するフィールドを有していてもよい。
【００９２】
希望観賞時期は、四季から選択することが可能となっているが、希望観賞時期は、図９に示すように、月を含む期間で指定されてもよいし、あるいは、日を含む期間で指定されてもよい。情報入力画面は、初期費用を入力するための入力領域を有し、基準骨格画像データベースＤＢ１の価格フィールドに含まれている情報に基づいて、花壇に植栽される植物の流通価格の総計が算出される。また、当該入力領域に入力される初期費用を設定する場合には、初期費用を越えない組み合わせの植物名及び当該植物名に対応する植物の株数を選択して、図１６Ｂに示すように、当該植物名と植物の株数を共にダイアログ・ボックス２５に表示するようにディスプレイ２４を制御するようにしてもよい。株数の選択は、選択された植物が植栽された場合に占める全体の面積と、１株の当該植物が植栽された場合に占める面積とに基づいて行われてもよい。１株の当該植物が植栽された場合に占める面積は、例えば、図４に示す基準骨格画像データベースＤＢ１に予め記憶されていてもよい。
【００９３】
また、ステップ２０２で、基準骨格画像の各々に対応する植物名を基準骨格画像データベースＤＢ１から読み出しているが、本発明はこれに限定されない。例えば、基準骨格画像の各々に対応する個体生育型形状画像、または花序特徴画像を基準骨格画像データベースＤＢ１から読み出して、ディスプレイ２４に表示し、ユーザが所望の個体生育型形状画像、または花序特徴画像を選択することができるようにしてもよい。この場合、ユーザによって選択された個体生育型形状画像、または花序特徴画像に対応する植物名を基準骨格画像データベースＤＢ１から読み出し、ステップ２０４で、読み出した植物名をダイアログ・ボックス表示するようにディスプレイ２４を制御する。
【００９４】
さらに、基準骨格画像データベースＤＢ１は、図示しない基本形状画像フィールドを有することができ、例えば、基準骨格画像の各々に対応する基本形状画像を基準骨格画像データベースＤＢ１から読み出して、ディスプレイ２４に表示し、ユーザが所望の基本形状画像を選択することができるようにしてもよい。この場合、ユーザによって選択された基本形状画像に対応する植物名を基準骨格画像データベースＤＢ１から読み出し、ステップ２０４で、読み出した植物名をダイアログ・ボックス表示するようにディスプレイ２４を制御する。
【００９５】
基準骨格画像に基づいて基準骨格画像データベースＤＢ１を検索し、当該基準骨格画像に対応する植物名を表示することにより、ユーザは、当該基準骨格画像に対応する植物を全て記憶していなくても、当該基準骨格画像に対応する適切な植物を選択することができる。さらに、基準骨格画像に加えて、希望観賞時期、色などの他の情報に基づいて基準骨格画像データベースＤＢ１を検索し、当該基準骨格画像に対応する植物名を表示することにより、ユーザは、当該基準骨格画像に対応する植物の特性を全て記憶していなくても、当該基準骨格画像及び他の情報に対応する適切な植物を選択することができる。したがって、ユーザは、花壇デザイン設計について習熟していなくても、適切な花壇デザイン設計を行うことができる。
【００９６】
さらに、デザイン表示部２４Ｂに表示されている基準骨格画像に対応する植物の少なくとも１つが所定観賞期間内（例えば、１年以内）に枯れ始めることなどによって衰退する場合、基準骨格画像データベースＤＢ１を検索し、当該衰退する時期が観賞可能時期に対応し、かつ、当該衰退する植物の基準骨格画像に対応する植物の植物名を植え替え植物名として、図１６Ａまたは図１６Ｂに示すようなダイアログ・ボックスに表示してもよい。ユーザは、当該ダイアログ・ボックスに表示された植え替え植物名をステップ２０８〜２１０と同様に変更してもよい。花壇デザイン設計支援装置１０により、植物名が決定され、決定された植物名に対応する植物が植え替え植物として決定される。
【００９７】
例えば、選択された植物が宿根草であった場合には、切り戻し等の作業により、所定期間、観賞に適した状態を維持することが可能である。植物に対応する切り戻し等の作業に関する情報も図４に示す基準骨格画像データベースＤＢ１に登録されていてもよいし、あるいは、基準骨格画像データベースＤＢ１とは別個のデータベースに登録されていてもよい。
【００９８】
基準骨格画像データベースＤＢ１は、さらに、図示しない生長状態情報フィールドを有し、生長状態情報フィールドには、対応する植物の植栽後の予め定められた経過期間毎の生長状態を示す生長状態情報が予め記憶されている。生長状態とは、植物の経時的な変化を示す状態であり、衰退状態も含む。したがって、植物が所定期間内に衰退するか否かについては、当該生長状態フィールドの情報によって知ることができる。
【００９９】
次に、図１８を参照して、本実施の形態に係る平面視レイアウト表示処理ルーチン・プログラムについて説明する。ユーザがマウス２２によって図１４の平面視レイアウト表示処理メニュー２６Ｂをポインティング指定すると、図７のステップ３００Ａにおいて肯定判断となって、ステップ３０２に移行する。ステップ３０２では、基準骨格画像データベースＤＢ１が検索され、デザイン表示部２４Ｂに表示されている基準骨格画像の各々に対応する植物名に対応する株寸法を読み出す。次のステップ３０４で、株寸法に基づいて、基準骨格画像の平面視画像を生成する。当該基準骨格画像の平面視画像である矩形は、当該基準骨格画像と同じ幅を有し、読み出された株寸法に含まれる奥行き長さと同じ奥行き長さを有する。ステップ３０６で、生成した矩形を平面視レイアト画面のデザイン表示部２４Ｂに表示するようにディスプレイ２４を制御する。
【０１００】
ステップ３０８で、花壇デザイン設計画面のデザイン表示部２４Ｂに表示されている全ての基準骨格画像について対応する平面視画像が表示されたか否かを判断し、否定判断となった場合は、ステップ３０２に戻る。肯定判断となった場合は、ステップ３１０に移行する。
【０１０１】
図１９Ａには、基準骨格画像を配置した花壇デザイン設計画面が示され、図１９Ｂには、図１９Ａのデザイン表示部２４Ｂの表示に対応する平面視レイアウト画面の一例が示されている。図１９Ｂのデザイン表示部２４Ｂにおいて、矩形は平面視した基準骨格画像、すなわち、設計対象花壇の上方から見た基準骨格画像の各々を示し、矩形の中の円は基準骨格画像に含まれる植物の株の各々を示す。株の各々は、ステップ３０２で読み出された株寸法に含まれる幅、奥行き長さを占めて配置される。図１９Ｂの平面視レイアウト画面のデザイン表示部２４Ｂの下側が、図１９Ａの花壇デザイン設計画面のデザイン表示部２４Ｂの手前側に対応し、図１９Ｂのレイアウト平面視画像のデザイン表示部２４Ｂの上側が、図１９Ａの花壇デザイン設計画面のデザイン表示部２４Ｂの奥側に対応する。
【０１０２】
ユーザは、矩形の位置を変更したい場合、上述した基準骨格画像の位置変更操作と同様の操作を矩形に対して行う。また、ユーザは、矩形のサイズ（幅及び奥行き長さ）を変更したい場合、上述した基本形状のサイズ変更操作と同様の操作を行う。
【０１０３】
ステップ３１０では、ユーザによって矩形の位置変更操作が行われたか否かを判断し、肯定判断となった場合、ステップ３１２に移行して、指定された矩形を、指定された位置に移動して表示するようにディスプレイ２４を制御した後、上記ステップ３１０に戻る。平面視レイアウト画面のデザイン表示部２４Ｂにおいて矩形の位置が変更された場合、対応する花壇デザイン設計画面のデザイン表示部２４Ｂにおいても基準骨格画像の位置が変更されてもよい。
【０１０４】
ステップ３１０で否定判断となった場合、ステップ３１４に移行し、ユーザによって矩形のサイズ変更操作が行われたか否かを判断し、肯定判断となった場合、ステップ３１６に移行して、指定された矩形のサイズを、指定されたサイズに変更して表示するようにディスプレイ２４を制御した後、上記ステップ３１０に戻る。平面視レイアウト画面のデザイン表示部２４Ｂにおいて矩形の幅が変更された場合、対応する花壇デザイン設計画面のデザイン表示部２４Ｂにおいても基準骨格画像の幅が変更されてもよい。矩形の幅及び奥行き長さの少なくとも一方が修正された場合、矩形のサイズに合わせて、矩形に含まれる植物の株数が変更されてもよいし、株間距離が変更されてもよい。なお、基準骨格画像データベースＤＢ１において、株寸法には、当該植物が生長するのに適した株間幅が予め加算されていてもよいし、株寸法とは別個に当該株間幅を含む株間幅フィールドがあってもよい。
【０１０５】
ステップ３１４で、否定判断となった場合、ステップ３１８に移行し、ユーザによって終了ボタン２４Ｄが指定されたか否かを判断する。否定判断となった場合は上記ステップ３１０に戻る一方、肯定判断となった場合には、本平面視レイアウト表示処理ルーチンを終了する。
【０１０６】
また、ステップ３０２において、基準骨格画像データベースＤＢ１から植物名に対応する株寸法を読み出したが、本発明はこれに限定されず、例えば、基準骨格画像に対応する株寸法を読み出してもよい。この場合、１つの基準骨格画像に対応する株寸法は複数存在する場合があるので、株寸法をリスト表示してユーザが選択できるようにしてもよいし、ＣＰＵ１２が選択した株寸法を表示し、その後、ユーザが株寸法を変更できるようにしてもよい。
【０１０７】
平面視レイアウト画面を表示することにより、ユーザは、花壇デザイン設計画面では視認することのできない花壇奥行き方向の情報、具体的には、基準骨格画像の占める奥行き長さ、及び、基準骨格画像相互の前後関係を認識することができる。さらに、平面視レイアウト画面における矩形の位置変更を花壇デザイン設計画面の基準骨格画像に反映することにより、ユーザは、基準骨格画像相互の前後関係が変更された場合に、花壇の正面視に生じる外観の変化を視認することができる。
【０１０８】
次に、図２０を参照して、本実施の形態に係る個体生育型形状画像表示処理ルーチン・プログラムについて説明する。ユーザがマウス２２によって図１４の個体生育型形状画像表示処理メニュー２６Ｃをポインティング指定すると、図７のステップ４００Ａにおいて肯定判断となって、ステップ４０２に移行する。ステップ４０２では、基準骨格画像データベースＤＢ１が検索され、デザイン表示部２４Ｂに表示されている基準骨格画像の各々に対応する植物名に対応する個体生育型形状画像が読み出される。ステップ４０４で、読み出した個体生育型形状画像を基準骨格画像の各々に重畳してデザイン表示部２４Ｂに表示するようにディスプレイ２４を制御する。
【０１０９】
個体生育型形状画像の例を図２１Ｃ〜図２１Ｇに示す。図２１Ｃは木立型、図２１Ｄは分枝型、図２１Ｅは叢生型、図２１Ｆは匍匐型、図２１Ｇは蔓型の個体生育型形状画像の一例である。
【０１１０】
ステップ４０６で、全ての基準骨格画像について個体生育型形状画像が重畳して表示されているか否かを判断し、否定判断となった場合は、ステップ４０２に戻る。一方、肯定判断となった場合は、個体生育型形状画像表示処理ルーチンを終了する。
【０１１１】
なお、ステップ４０２において、基準骨格画像データベースＤＢ１から植物名に対応する個体生育型形状画像を読み出したが、本発明はこれに限定されず、例えば、基準骨格画像に対応する個体生育型形状画像を読み出してもよい。この場合、１つの基準骨格画像に対応する個体生育型形状画像は複数存在する場合があるので、個体生育型形状画像をリスト表示してユーザが選択できるようにしてもよいし、ＣＰＵ１２が選択した個体生育型形状画像を表示し、その後、ユーザが個体生育型形状画像を変更できるようにしてもよい。また、ステップ４０４で、個体生育型形状画像を基準骨格画像５０に重畳して表示しているが、例えば、個体生育型形状画像を基準骨格画像５０と置換して、個体生育型形状画像のみを表示してもよい。
【０１１２】
図２１Ａには、基準骨格画像５０に基本形状画像５２が重畳されて表示された場合の表示の一例が示されている。
【０１１３】
次に、図２２を参照して、本実施の形態に係る花序特徴画像表示処理ルーチン・プログラムについて説明する。ユーザがマウス２２によって図１４の花序特徴画像表示処理メニュー２６Ｄをポインティング指定すると、図７のステップ５００Ａにおいて肯定判断となって、ステップ５０２に移行する。ステップ５０２では、基準骨格画像データベースＤＢ１が検索され、デザイン表示部２４Ｂに表示されている基準骨格画像の各々に対応する植物名に対応する花序特徴画像が読み出される。ステップ５０４で、読み出した花序特徴画像を基準骨格画像の各々に重畳してデザイン表示部２４Ｂに表示するようにディスプレイ２４を制御する。
【０１１４】
ステップ５０６で、全ての基準骨格画像について花序特徴画像が重畳して表示されているか否かを判断し、否定判断となった場合、ステップ５０２に戻る。一方、肯定判断となった場合、花序特徴画像表示処理ルーチンを終了する。
【０１１５】
図２１Ｂには、基準骨格画像５０に花序特徴画像５４が重畳されて表示された場合の表示の一例が示されている。花序特徴画像５４に加えて、図２１Ｃ〜図２１Ｇに例示されている個体生育型形状画像を重畳してもよい。もしくは、花序特徴画像５４に代えて、図２１Ｈ〜図２１Ｌに例示される木（低木樹、花木）特徴画像を使用してもよい。
【０１１６】
なお、ステップ５０２において、基準骨格画像データベースＤＢ１を検索し、植物名に対応する花序特徴画像を読み出すようにしているが、本実施の形態はこれに限定されず、例えば、基準骨格画像に対応する花序特徴画像を読み出してもよい。この場合、１つの基準骨格画像に対応する花序特徴画像は複数存在する場合があるので、花序特徴画像をリスト表示してユーザが選択できるようにしてもよいし、ＣＰＵ１２が選択した花序特徴画像を表示し、その後、ユーザが変更できるようにしてもよい。
【０１１７】
ステップ５０４で、花序特徴画像を基準骨格画像に重畳して表示しているが、例えば、花序特徴画像を基準骨格画像と置換して、花序特徴画像のみを表示してもよい。なお、ここでは、基準骨格画像に個体生育型形状画像及び花序特徴画像を重畳して表示する場合について説明したが、本実施の形態はこれらに限定されず、例えば、図２１Ａに示すように、基本形状画像を基準骨格画像に重畳して、あるいは、基準骨格画像と置換して表示するようにしてもよい。
【０１１８】
また、基準骨格画像に対応する色などを基準骨格画像に重畳して、あるいは、基準骨格画像と置換して表示するようにしてもよい。さらに、基準骨格画像データベースＤＢ１は、実画像フィールド、テクスチャ特徴画像フィールドを有し、基準骨格画像に対応する実画像、テクスチャ特徴画像を基準骨格画像に重畳して、あるいは、基準骨格画像と置換して表示するようにしてもよい。さらに、基準骨格画像データベースＤＢ１が、花、葉及び茎の割合を示す情報を含むフィールド、花の色を示す情報を含むフィールド、葉の色を含むフィールド、茎の色を含むフィールドをさらに有し、当該花、葉及び茎の割合、花の色、葉の色、茎の色の少なくとも１つを基準骨格画像に重畳して表示するようにしてもよい。
【０１１９】
基準骨格画像に個体生育型形状画像など植物の外観の詳細な特徴を示す情報を付加して表示することにより、ユーザは、植栽した植物が生長した際に、顧客の希望する視覚的なイメージが実現されるように、容易に花壇のデザインを設計することができる。
【０１２０】
次に、図２３を参照して、本実施の形態に係る生長シミュレーション処理ルーチン・プログラムについて説明する。ユーザがマウス２２によって図１４の生長シミュレーション処理メニュー２６Ｄをポインティング指定すると、図７のステップ６００Ａにおいて肯定判断となって、ステップ６０２に移行する。ステップ６０２で、情報入力画面が表示され、ステップ６０４で、所定情報の入力待ちを行う。
【０１２１】
図２４には、本実施の形態に係る情報入力画面の一例が示されている。図２４に示すように、本実施の形態に係る情報入力画面では、設計対象花壇に植栽を行う予定の植栽予定日の入力領域と、設計対象花壇の観賞を希望する希望観賞日の入力領域と、が表示される。
【０１２２】
ユーザは、キーボード２０及びマウス２２によって、所定情報として、植栽予定日及び希望観賞日を各々の入力領域に入力した後、当該情報入力画面の下端近傍に表示されている終了ボタン２４Ａをマウス２２によりポインティング指定する。これに応じて上記ステップ６０４が肯定判断となり、ステップ６０６に移行する。
【０１２３】
ステップ６０６では、植栽予定日及び希望観賞日から植栽後の経過期間を求め、基準骨格画像データベースＤＢ１から、基準骨格画像の各々に対応する植物名に対応する上記経過期間に対応する生長状態情報を読み出し、次のステップ６０８で、当該生長状態情報を用いて、基準骨格画像のサイズを変更する。
【０１２４】
生長状態情報は、具体的な植物の高さまたは幅など示す数値であってもよいし、植物の元の高さまたは幅に対する生長の割合を示す数値であってもよい。さらに、生長状態情報は、生長に応じて高さまたは幅が変更された基準骨格画像であってもよい。
【０１２５】
ステップ６１０では、サイズを変更した基準骨格画像をデザイン表示部２４Ｂに表示するようにディスプレイ２４を制御し、次のステップ６１２では、全ての基準骨格画像について、処理が行われたか否かを判断する。否定判断となった場合、ステップ６０６に戻る。一方、肯定判断となった場合、ステップ６１４に移行する。
【０１２６】
図２５には、花壇デザイン設計において生長シミュレーション処理を行った結果を示す表示の一例が示されている。実線で示されている基準骨格画像５０Ａ’が生長シミュレーション処理の結果生成された基準骨格画像であり、一点鎖線で示されている基準骨格画像５０Ａは、生長シミュレーション処理が行われる前の元の基準骨格画像を示す。
【０１２７】
ステップ６１４では、ユーザによって終了ボタン２４Ｄが指定されたか否かを判断する。否定判断となった場合は上記ステップ６０２に戻る一方、肯定判断となった場合には、本生長シミュレーション処理ルーチンを終了する。
【０１２８】
生長シミュレーション結果を表示することにより、ユーザは、顧客が観賞を希望する時期もしくは季節（例えば、日）に、顧客の希望する視覚的なイメージが実現されるように、容易に花壇レイアウトを設計することができる。さらに、植栽予定日及び観賞希望日を任意に設定して生長シミュレーション処理を行うことにより、植栽した植物が、当該観賞を実際に希望する時期もしくは季節に至るまでの間、もしくは、観賞を実際に希望する時期もしくは季節を過ぎた後に、どのように変化するかを知ることができるので、より長い間、顧客が観賞を楽しむことができる花壇のデザインを提供することができる。
【０１２９】
なお、生長シミュレーション処理を行った結果を示す表示から、植え替えを希望する基準骨格画像をユーザに選択させてもよい。基準骨格画像データベースＤＢ１を検索し、希望観賞日が観賞可能時期に対応し、かつ、選択された植物の基準骨格画像に対応する植物の植物名を植え替え植物名として、図１６Ａまたは図１６Ｂに示すようなダイアログ・ボックスに表示してもよい。ユーザは、当該ダイアログ・ボックスに表示された植え替え植物名を図１５のステップ２０８〜２１０と同様に変更してもよい。花壇デザイン設計支援装置１０により、植物名が決定され、決定された植物名に対応する植物が植え替え植物として決定される。
【０１３０】
または、所定の期間（例えば、２年間）の所定の観察期間毎（例えば、１月毎）に生長シミュレーション処理を行った結果を表示し、当該表示において、植え替えを希望する基準骨格画像をユーザに選択させてもよい。その場合、基準骨格画像データベースＤＢ１を検索し、選択された基準骨格画像を含む表示に対応する時期が観賞可能時期に対応し、かつ、選択された植物の基準骨格画像に対応する植物の植物名を植え替え植物名として、図１６Ａまたは図１６Ｂに示すようなダイアログ・ボックスに表示してもよい。ユーザは、当該ダイアログ・ボックスに表示された植え替え植物名を図１５のステップ２０８〜２１０と同様に変更してもよい。花壇デザイン設計支援装置１０により、植物名が決定され、決定された植物名に対応する植物が植え替え植物として決定される。
【０１３１】
生長シミュレーション処理を行った結果を示す表示において、例えば、衰退した植物あるいは周囲とのバランスのとれていない植物に代替する植え替え植物をさらに決定することにより、ユーザは、最初に選択した植物が衰退する時期に、あるいは周囲とのバランスがとれなくなった時期に、当該植え替え植物を、最初に選択した植物に代えて植栽することができる。また、適切な観賞時期を過ぎた花壇の状態を把握することも可能となる。
【０１３２】
さらに、生長シミュレーション処理を行った結果に、図２０に例示した個体生育型形状画像表示処理もしくは図２２に例示した花序特徴画像表示処理を適用した場合、基準骨格画像に個体生育型形状画像など植物の外観の詳細な特徴を示す情報を付加して表示する。これにより、ユーザは、観賞を希望する時期などに、顧客の希望する視覚的なイメージが実現されるように、容易に花壇のデザインを設計することができる。
【０１３３】
［第２の実施の形態］
【０１３４】
次に、本発明の第２の実施の形態について説明する。第１の実施の形態と同様の構成、作用については、同様の参照符号を使用して、説明を省略する。
【０１３５】
図２６には、本実施の形態に係る花壇デザイン設計支援装置１０に備えられた二次記憶部１８の主な記憶内容が模式的に示されている。図３と異なる点は、データベース領域ＤＢに基準骨格セット画像データベースＤＢ２が含まれていることである。
【０１３６】
図２７に示すように、本実施の形態に係る基準骨格セット画像データベースＤＢ２は、基準骨格セット画像、観賞可能時期、色、及び基準骨格画像などの各情報が記憶されるように構成されている。
【０１３７】
なお、上記基準骨格セット画像は、基本形状を予め設定してある画像である。図２７に示す例では、例えば、基準骨格セット画像Ｌ１の観賞に適した時期が１月から２月までであり、色はトロピカル系であり、当該基準骨格セット画像Ｌ１には基準骨格画像ｂ１〜ｂ４が含まれていることを示している。
【０１３８】
次に、図２８を参照して、本実施の形態に係る、花壇デザイン設計処理ルーチン・プログラムについて説明する。ステップ１０２〜１０４及び１１６〜１２４については、図８で説明した第１の実施の形態と同様であるので、説明を省略する。
【０１３９】
ステップ１０５では、ステップ１０２で入力された希望観賞時期に対応する観賞可能時期に対応する全ての基準骨格セット画像を基準骨格セット画像データベースＤＢ２から読み出し、ステップ１０７では、読み出した基準骨格セット画像を用いて、予め定められたフォーマットとされた花壇デザイン設計画面を表示するようにディスプレイ２４を制御する。
【０１４０】
図２９には、本実施の形態に係る花壇デザイン設計画面の一例が示されている。図２９に示すように、本実施の形態に係る花壇デザイン設計画面では、上記ステップ１０５の処理によって読み出した基準骨格セット画像５６Ａ〜５６Ｃが左端近傍に縦に並べて表示されると共に、デザイン表示部２４Ｂに、当該基準骨格セット画像の１つが表示される。
【０１４１】
ユーザは、デザイン表示部２４Ｂに表示されている基準骨格セット画像を他のレイアウト画像に変更したい場合、マウス２２によって、花壇デザイン設計画面の左端近傍に縦に並べられている基準骨格セット画像５６Ａ〜５６Ｃのいずれかをポインティング指定する（以下、「基準骨格セット画像変更指示」という。）。ステップ１０９では、ユーザによって基準骨格セット画像変更指示が行われたか否かを判断し、肯定判断となった場合には、ステップ１０５に戻る。一方、否定判断となった場合には、ステップ１１６に移行する。
【０１４２】
ステップ１０２で表示される情報入力画面において、ユーザに、キーボード２０及びマウス２２を介して、例えば、色指定を行わせ、ステップ１０５で、指定された色に対応する基準骨格セット画像を基準骨格セット画像データベースＤＢ２から読み出すようにしてもよい。
【０１４３】
好ましいデザインを構成するレイアウトを提供するために、基準骨格画像を予め設定してある基準骨格セット画像を使用することにより、花壇レイアウトの設計の経験が浅いユーザであっても、植栽した植物が生長した際に、顧客の希望する視覚的なイメージが実現されるように容易に花壇レイアウトを設計することができる。
【０１４４】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１４５】
また、上記の実施の形態はクレーム（請求項）に係る発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件からいくつかの構成要件が削除されても、効果が得られる限りにおいて、このいくつかの構成要件が削除された構成が発明として抽出され得る。
【０１４６】
その他、上記実施の形態で説明した花壇デザイン設計支援装置１０の構成（図１及び図２参照）は一例であり、本発明の主旨を逸脱しない範囲内において、不要な構成要素を削除してもよいし、新たな構成要素を追加してもよい。
【０１４７】
また、上記実施の形態で示した花壇デザイン設計支援プログラムの流れ（図７、図８、図１５、図１８、図２０、図２２、図２３参照）も一例であり、本発明の主旨を逸脱しない範囲内において、不要な処理ステップを削除してもよいし、処理ステップの順序を入れ替えてもよい。
【０１４８】
また、上記実施の形態で示した情報入力画面（図９、図１７、図２４）、花壇デザイン設計画面（図１０〜図１３、図１９Ａ、図２９）、植物名を表示するダイアログ・ボックス（図１６Ａ、図１６Ｂ）、平面視レイアウト画面（図１９Ｂ）、生長シミュレーション画面（図２５）も一例であり、本発明の主旨を逸脱しない範囲内において、一部の情報を削除してもよいし、新たな情報を追加してもよいし、表示位置を変更してもよい。
【０１４９】
さらに、上記実施の形態で示した各種データベースの構成（図３、図４、図２６、図２７参照）も一例であり、本発明の主旨を逸脱しない範囲内において、一部の情報を削除してもよいし、新たな情報を追加してもよいし、記憶位置を入れ替えてもよい。
【符号の説明】
【０１５０】
１０  花壇デザイン設計支援装置
１２Ａ  受付部
１２Ｂ  制御部
１８  二次記憶部
２４  ディスプレイ
【図１】
2015119649.tif 000003
【図２】
2015119649.tif 000004
【図３】
2015119649.tif 000005
【図４】
2015119649.tif 000006
【図５Ａ】
2015119649.tif 000007
【図５Ｂ】
2015119649.tif 000008
【図５Ｃ】
2015119649.tif 000009
【図５Ｄ】
2015119649.tif 000010
【図５Ｅ】
2015119649.tif 000011
【図５Ｆ】
2015119649.tif 000012
【図５Ｇ】
2015119649.tif 000013
【図５Ｈ】
2015119649.tif 000014
【図５Ｉ】
2015119649.tif 000015
【図５Ｊ】
2015119649.tif 000016
【図５Ｋ】
2015119649.tif 000017
【図５Ｌ】
2015119649.tif 000018
【図５Ｍ】
2015119649.tif 000019
【図５Ｎ】
2015119649.tif 000020
【図５Ｏ】
2015119649.tif 000021
【図６Ａ】
2015119649.tif 000022
【図６Ｂ】
2015119649.tif 000023
【図６Ｃ】
2015119649.tif 000024
【図７】
2015119649.tif 000025
【図８】
2015119649.tif 000026
【図９】
2015119649.tif 000027
【図１０】
2015119649.tif 000028
【図１１】
2015119649.tif 000029
【図１２】
2015119649.tif 000030
【図１３】
2015119649.tif 000031
【図１４】
2015119649.tif 000032
【図１５】
2015119649.tif 000033
【図１６Ａ】
2015119649.tif 000034
【図１６Ｂ】
2015119649.tif 000035
【図１７】
2015119649.tif 000036
【図１８】
2015119649.tif 000037
【図１９Ａ】
2015119649.tif 000038
【図１９Ｂ】
2015119649.tif 000039
【図２０】
2015119649.tif 000040
【図２１Ａ】
2015119649.tif 000041
【図２１Ｂ】
2015119649.tif 000042
【図２１Ｃ】
2015119649.tif 000043
【図２１Ｄ】
2015119649.tif 000044
【図２１Ｅ】
2015119649.tif 000045
【図２１Ｆ】
2015119649.tif 000046
【図２１Ｇ】
2015119649.tif 000047
【図２１Ｈ】
2015119649.tif 000048
【図２１Ｉ】
2015119649.tif 000049
【図２１Ｊ】
2015119649.tif 000050
【図２１Ｋ】
2015119649.tif 000051
【図２１Ｌ】
2015119649.tif 000052
【図２２】
2015119649.tif 000053
【図２３】
2015119649.tif 000054
【図２４】
2015119649.tif 000055
【図２５】
2015119649.tif 000056
【図２６】
2015119649.tif 000057
【図２７】
2015119649.tif 000058
【図２８】
2015119649.tif 000059
【図２９】
2015119649.tif 000060
【図６Ｄ】
2015119649.tif 000061